(57)【要約】      （修正有）【課題】新規オリゴ糖およびその用途の提供。【解決手段】オリゴ糖が一般式(Ｉ)：Ｒ１−(Ｒｘ)ｎ−Ｒ２［式中、Ｒ１およびＲ２ならびに各Ｒｘは、単糖単位を表し、その全ては、同一または異なっており、隣接する単糖単位は、１→２、１→３、１→４および／または１→６グリコシド結合によって結合されており、ｎは、１〜６の整数である］で示される硫酸化オリゴ糖、ならびに抗脈管形成剤、抗転移剤および／または抗炎症剤としてのそれらの使用。【選択図】なし【特許請求の範囲】
【請求項１】
オリゴ糖が一般式Ｉ：
Ｒ１−(Ｒｘ)ｎ−Ｒ２                    (Ｉ)
［式中、Ｒ１およびＲ２ならびに各Ｒｘは、ヘキソース単糖単位を表し、その全ては、同一または異なっており、隣接する単糖単位は、１→２、１→３、１→４および／または１→６グリコシド結合によって結合されており、
ｎは、３〜６の整数であり；
Ｒ１、Ｒ２およびＲｘは、リン酸化されていてもよい；
ただし、オリゴ糖は、グルコース１→４グルコース結合残基もしくはグルコース１→３グルコース結合残基を含む化合物またはヘキソース１→２フルクトース結合残基を含む化合物ではない］で示される硫酸化オリゴ糖。
【請求項２】
請求項１記載の少なくとも１つの硫酸化オリゴ糖を医薬的または獣医学的に許容される担体または希釈剤と一緒に含有してなる、抗脈管形成、抗転移および／または抗炎症治療のための医薬組成物または獣医学的組成物。
【請求項３】
ヒトまたは他の温血動物患者の抗脈管形成、抗転移および／または抗炎症治療のための薬物の製造における請求項１記載の少なくとも１つの硫酸化オリゴ糖の使用。
【発明の詳細な説明】
【技術分野】
【０００１】
本発明は、硫酸化オリゴ糖、それらの製造および抗脈管形成剤、抗転移剤および／または抗炎症剤としての使用に関する。
【背景技術】
【０００２】
ヘパラン硫酸は、多糖のグリコサミノグリカン・ファミリーに属する。それらは、ほとんどの多細胞動物中に存在し、遍在的分布を有しており、ほとんどの組織の細胞表面および細胞外マトリックス（ＥＣＭ）で発現する（1（非特許文献１），2（非特許文献２））。ヘパラン硫酸は、通常、プロテオグリカンとして存在しており、該分子のコアポリペプチドの配列決定およびクローニングがかなり進んだ。今までのところ、例えば、少なくとも８種類のヘパラン硫酸プロテオグリカン（ＨＳＰＧ）コアポリペプチドが細胞表面で同定された（3（非特許文献３））。
【０００３】
まず、ＨＳＰＧは、細胞表面およびＥＣＭで構造的役割を充分に果たすと思われた。しかしながら、ヘパラン硫酸鎖は、それらが多くの生物学的プロセスのための重要なシグナル発生情報を提供することを示唆する顕著な構造的多様性を示す（2（非特許文献２），4（非特許文献４））。かくして、ヘパラン硫酸鎖は、まず、β１−４およびα１−４結合によって結合されたグルクロノシルおよびＮ−アセチルグルコサミニル残基の単純な交互反復体として合成されるが、結果として多くの修飾が起こる。多糖は、Ｎ−脱アセチルされ、Ｎ−硫酸化され、次いで、グルクロノシル単位からイズロノシル単位へのＣ５エピマー化、ならびにウロノシルおよびグルコサミニル残基の種々のＯ−硫酸化を受ける。これらの修飾の可変性により、ヘパラン硫酸鎖に沿って異なる順序で配置された場合に理論的には莫大な数の異なるヘパラン硫酸構造を生じ得る約３０種類の二糖配列が考えられる。これに関して、マスト細胞顆粒中にのみ存在する抗凝固性多糖ヘパリンは、エピマー化および硫酸化が最大になったヘパラン硫酸の最高の形態を表す。ほとんどのヘパラン硫酸は、比較的長いストレッチの非硫酸化単位によって結合された短いストレッチの高度に硫酸化された残基を含有する。
【０００４】
現在、ヘパラン硫酸が広範囲の生物学的プロセスにおいて重要な役割を果たすという明らかな証拠がある（2-4（非特許文献２〜４））。特に、それらは、細胞間相互作用に関与する付着分子に対するリガンドとして作用し（5（非特許文献５），6（非特許文献６））、細胞−ＥＣＭ相互作用に関与し（5（非特許文献５），6（非特許文献６））、塩基性線維芽細胞成長因子（ｂＦＧＦ）（7（非特許文献７），8（非特許文献８））および血管内皮成長因子（ＶＥＧＦ）（9（非特許文献９））などの成長因子に対する必須細胞表面受容体として作用することができる。ＨＳＰＧは、また、細胞移動に対する主要な障壁を表す基底膜の重要な成分である（10（非特許文献１０））。基底膜障壁は、細胞が、ヘパラン硫酸鎖を切断する（12（非特許文献１２），13（非特許文献１３））ヘパラナーゼと称されるエンドグリコシダーゼを含む一連の分解酵素（11（非特許文献１１））を展開する場合にのみ破られ得る。
【０００５】
ヘパラン硫酸が関与する生物学的プロセスの多くが、特有のヘパラン硫酸構造の認識を伴うものであり、多糖鎖における硫酸化物の位置が非常に重要なものであることが示された（3（非特許文献３））。例えば、所定のヘパラン硫酸配列が酸性および塩基性ＦＧＦによって認識され（14-16（非特許文献１４〜１６））、ヘパラナーゼによって切断されることが示された。これらの観察結果に基づいて、本発明の目的は、成長因子によるヘパラン硫酸認識を遮断し、ヘパラナーゼによるヘパラン硫酸の切断を阻害する硫酸化オリゴ糖を合成することであった。現在、細胞表面ヘパラン硫酸がそれらの受容体に結合した成長因子の架橋結合を媒介すると思われているので、成長因子の遮断の場合、ヘパラン硫酸の低分子量模倣体は、特に有効であると考えられた（17（非特許文献１７））。さらにまた、硫酸化オリゴ糖は、ヘパラナーゼの切断不可能な基質として作用することによる有効なヘパラナーゼ阻害剤である。
【０００６】
成長因子阻害活性を有する硫酸化オリゴ糖は、多くの臨床用途を有する。ｂＦＧＦおよびＶＥＧＦなどのヘパリン／ヘパラン硫酸結合性成長因子は、脈管形成の強力なインデューサーである（18（非特許文献１８））。成人では、脈管形成は、創傷治癒の間以外は比較的稀な出来事である。しかしながら、脈管形成が非常に重要である成人における多くの「脈管形成依存性疾患」がある（18-20（非特許文献１８〜２０））。これらのうち最も重要なものは、充実性腫瘍の増殖、増殖性網膜症および慢性関節リウマチに関連する脈管形成である。ｂＦＧＦおよびＶＥＧＦなどの重要な脈管形成性成長因子の作用を遮断した硫酸化オリゴ糖は、これらの脈管形成依存性疾患の治療に特に有用であろう。
【０００７】
同様に、ヘパラナーゼ作用を阻害する硫酸化オリゴ糖は、数多くの臨床用途を有する。内皮下基底膜は、内皮細胞、腫瘍細胞および白血球の血管壁通過に関する主要な物理的障壁である。ヘパラナーゼ酵素は、一連のタンパク質溶解酵素（例えば、プラスミン、マトリックスメタロプロテイナーゼ）と組み合わさって、細胞に侵入することによって基底膜分解における主要な役割を果たす（11-13（非特許文献１１〜１３），21（非特許文献２１））。かくして、基底膜分解を防止することによって、ヘパラナーゼ阻害活性を有する硫酸化オリゴ糖は、抗転移活性および抗炎症活性を示し、さらに、初期段階の脈管形成を阻害することができる。脈管形成性成長因子作用およびヘパラナーゼ酵素を同時に阻害する硫酸化オリゴ糖の使用は、例えば、非常に転移性のある充実性腫瘍および慢性関節リウマチの治療など、多くの臨床状況において好ましい。
【０００８】
従前の特許文献１には、動物またはヒト患者の抗転移治療および／または抗炎症治療における、ヘパラナーゼ活性を遮断または阻害する、ヘパリンおよび修飾ヘパリン、フコイジン、ペントサン硫酸、デキストラン硫酸およびカラゲニンラムダなどの硫酸化多糖の使用が開示されている。
【０００９】
本発明に導く研究において、本発明者らは、天然オリゴ糖またはヘキソース含有ホモポリマーを含む全合成オリゴ糖を用いて硫酸化オリゴ糖を調製した。これらの化合物のうちいくつかは、ヒト脈管形成、腫瘍転移および炎症の強力な阻害剤であることが示された。得られたデータは、硫酸化オリゴ糖が脈管形成性成長因子作用および／またはヘパラナーゼ機能を阻害することによる生物学的効果を示すことと一致しており、脈管形成およびヘパラナーゼ活性の両方の強力な阻害剤であるある種の硫酸化オリゴ糖が得られた。
【先行技術文献】
【特許文献】
【００１０】
【特許文献１】国際特許出願番号ＰＣＴ／ＡＵ８８／０００１７（公開番号ＷＯ８８／０５３０１）
【非特許文献】
【００１１】
【非特許文献１】Dietrich, C. P., Nader, H. B. および Strauss, A.J. (1983). Biochem. Biophys. Res. Comm. 111 865-871
【非特許文献２】Kjellen, L and Lindahl, U. (1991). Annu. Rev. Biochem. 60, 443-475
【非特許文献３】David, G. (1993). FASEB J. 7, 1023-1030
【非特許文献４】Esko, J. D. (1991). Curr. Opin. Cell Biol. 3, 805-816
【非特許文献５】Cole, G. J. and Akeson, R. (1989). Neuron 2, 1157-1165
【非特許文献６】Coombe, D. R., Watt, S. M. および Parish C. R. Blood 84, 739-752
【非特許文献７】Yayon, A., Klagsbrun, M., Esko, J. D., Leder, P. および Ornitz, D. M. (1991). Cell 64, 841-848
【非特許文献８】Rapraeger, A. C., Krufka,A. および Olwin, B. B. (1991). Science 252, 1705-1708
【非特許文献９】Gitay-Goren, H., Soker, S., Vlodabsky, I. および Neufeld, G. (1992). J. Biol. Chem. 267, 6093-6098
【非特許文献１０】Yurchenco, P. D. および Schittny, J. C. (1990). FASEB J. 4, 1577-1590
【非特許文献１１】Stetler, S. W., Aznavoorian, S および Liotta, L. A. (1993). Annu. Rev. Cell Biol. 9, 541-573
【非特許文献１２】Eldor, A., Bar-Ner, N., Fuks, Z. および Vlodavsky, I. (1987). Semin. Thromb. Hemost. 13, 475-488
【非特許文献１３】Nakajima, M., Irimura, T. および Nicolson, G. L. (1988). J. Cell Biochem. 36, 157-167
【非特許文献１４】Turnbull, J. E., Fernig, D. G., Ke, Y., Wilkinson, M. C. および Gallagher, J. T. (1992). J. Biol. Chem. 267, 10337-10341
【非特許文献１５】Mach, H., Volkin, D., Burke, C. J., Middaugh, C. R., Linhardt, R. J., Fromm. J. R. および Loganathan, D. (1993). Biochemistry 32, 5480-5489
【非特許文献１６】Nurcombe, V., Ford, M. D., Windschut, J. A. および Bartlett, P. F. (1993). Science 260, 103-106
【非特許文献１７】Spivak-Kroizman, T., Lemmon, M. A., Dikic, I., Ladbury, J. E., Pinchasi, D., Huang, J., Jaye, M., Crumley, G., Schlessinger, J. および Lax, I. Cell 79, 1015-1024
【非特許文献１８】Folkman, J. および Brem, H. (1992). Angiogenesis and inflammation. In: "Inflammation. Basic Principles and Clinical Correlates". Eds Gallin, J. I., Goldstein, I. M. および Synderman, R. S., Raven Press, New York
【非特許文献１９】Folkman, J. (1991). Tumour angiogenesis. In "Cancer Medicine". Ed Holland, J. F., Lea & Febiger, Philadelphia
【非特許文献２０】Folkman, J. および Klagsbrun, M. (1987). Science 235, 442-447
【非特許文献２１】Ratner, S. (1992). Invasion Metastasis 12, 82-100
【発明の概要】
【課題を解決するための手段】
【００１２】
１つの態様に関して、本発明は、オリゴ糖が一般式Ｉ：
Ｒ１−(Ｒｘ)ｎ−Ｒ２                    (Ｉ)
［式中、Ｒ１およびＲ２ならびに各Ｒｘは、同一または異なっていてもよい単糖単位を表し、隣接する単糖単位は、１→２、１→３、１→４および／または１→６グリコシド結合によって結合されており；
ｎは、１〜６の整数である］
で示される硫酸化オリゴ糖を提供するものである。
【００１３】
本発明の硫酸化オリゴ糖は、１→２、１→３、１→４および／または１→６グリコシド結合によって結合されてよく、３〜８個の単糖単位からなっていてよい単糖単位のポリマーに基づいている。好ましくは、該オリゴ糖は、３〜６個の単糖単位（すなわち、ｎは、１〜４である）、より好ましくは、５〜６個の単糖単位（ｎは、３〜４である）からなる。ポリマーは、一のタイプの単糖単位だけを含有するホモポリマーを含むものであっても、または２種類以上のタイプの単糖単位を含有するヘテロポリマーを含むものであってもよい。
【００１４】
一緒に結合してオリゴ糖を形成する単糖単位は、好ましくは、ヘキソースであり、フルクトースなどのフラノースまたはグルコース、マンノース、アルトロース、アロース、タロース、ガラクトース、イドースまたはグロースなどのピラノースのいずれであってもよい。ヘキソースは、Ｄ−またはＬ−配座のいずれであってもよい。
【００１５】
本発明の１つの特定の態様では、一般式ＩＩ：
Ｒｙ−(Ｒｙ)ｎ−Ｒｙ                      (ＩＩ)
［式中、各Ｒｙ基は、同一であり、各々、単糖単位を表し、隣接する単糖単位は、１→３、１→４および／または１→６グリコシド結合によって連結されており；
ｎは、１〜６の整数である］
で示される新規合成オリゴ糖を提供するものである。
【００１６】
この特定の態様では、本発明は、オリゴ糖が前記一般式ＩＩで示される硫酸化オリゴ糖を提供するものである。
【００１７】
好ましくは、式ＩＩで示されるホモポリマーオリゴ糖では、単糖単位は、グルコース、マンノース、アルトロース、アロース、タロース、ガラクトース、イドースまたはグロースなどのヘキソースである。好ましくは、また、これらのオリゴ糖において、ｎは、１〜４、より好ましくは、３〜４である。
【００１８】
一般式ＩおよびＩＩで示されるオリゴ糖としては、単糖単位が誘導されている、特に、単位が単糖のリン酸化、アセチルまたは他のエステル誘導体である化合物が挙げられる。
【００１９】
一般に、本発明の硫酸化オリゴ糖は、自体公知の方法によってオリゴ糖を硫酸化して、対応する該オリゴ糖のＯ−硫酸化誘導体を得ることによって調製され得る。適切な硫酸化方法を以下に例示する。硫酸化しようとするオリゴ糖は、そのままで自然に生じるオリゴ糖（例えば、ラフィノースおよびスタキオース）を含む天然生成物、ならびに天然多糖の酵素分解または化学分解によって調製されたオリゴ糖（例えば、マルトテトラオース、マルトペンタオースおよびマルトヘキサオース；グルコトリオース、グルコテトラオースおよびグルコペンタオース；コンドロイチン四糖、六糖および八糖；ならびに酵母ピキア・ホルスティ（Ｐichia holstii）由来のマンノペンタオースリン酸）であってもよい。
【００２０】
前記したとおり、本発明の範囲内となる硫酸化オリゴ糖は、ヘパラナーゼ阻害活性および／または成長因子阻害活性を示すことが示された。したがって、別の態様では、本発明は、温血動物（ヒトを含む）患者の治療における抗脈管形成剤、抗転移剤および／または抗炎症剤としての前記硫酸化オリゴ糖の使用に及ぶ。
【００２１】
かくして、本発明は、前記した少なくとも１つの硫酸化オリゴ糖の有効量を患者に投与することを含む、治療を必要とするヒトまたは他の温血動物患者の抗脈管形成治療方法、抗転移治療方法および／または抗炎症治療方法に及ぶ。
【００２２】
活性成分は、治療的に有効な量で投与される。治療的に有効な量は、少なくとも部分的には、所望の効果を得るために、または治療される特定の症状の発症を遅延させるために、または、該症状の進行を阻害するために、または、該症状の発症もしくは進行を完全に停止させるために必要な量を意味する。かかる量は、もちろん、治療される特定の症状、該症状の重篤度、ならびに年齢、全身状態、大きさ、体重および併用療法を含む個々の患者のパラメーターに依存するであろう。これらの因子は、当業者によく知られており、慣用的な実験だけを持って取り組むことができる。一般的に、最大投与量を用いること、すなわち、適切な医学的判断（sound medical judgement）による最高の安全な投与量を用いることが好ましい。しかしながら、医学的理由、心理的理由または事実上すべての他の理由のために低い投与量または耐量が投与されることは、当業者によって理解されるであろう。
【００２３】
本発明は、少なくとも１つの前記硫酸化オリゴ糖の、ヒトまたは他の温血動物患者の抗脈管形成治療薬、抗転移治療薬および／または抗炎症治療薬の製造における使用にも及ぶ。
【００２４】
さらにまた、本発明は、また、医薬的および獣医学的に許容される担体または希釈剤と一緒に少なくとも１つの前記硫酸化オリゴ糖を含む、抗脈管形成治療用、抗転移治療用および／または抗炎症治療用の医薬組成物または獣医学的組成物を提供するものでもある。
【００２５】
かかる治療用組成物の処方は、当業者によく知られている。適切な医薬的または獣医学的に許容される担体および／または希釈剤としては、いずれかまたは全ての慣用的な溶媒、分散媒質、充填剤、固体担体、水性溶液、コーティング、抗菌および抗真菌剤、等張性および吸収遅延剤などが挙げられる。医薬的および獣医学的に活性な物質のためのかかる媒質および薬剤の使用は、当該技術分野でよく知られており、例えば、Remington's Pharmaceutical Sciences, 18th Edition, Mack Publishing Company, Pennsylvania, USAに開示されている。いずれかの慣用的な媒質または薬剤が活性成分と適合しない場合を除いては、本発明の医薬組成物および獣医学的組成物におけるその使用が考えられる。追加の活性成分を該組成物に配合することもできる。
【００２６】
投与の容易性および投与の均一性のために投与単位形態の組成物を処方するのが特に好都合である。本明細書で用いる場合の投与単位形態は、治療しようとするヒトまたは動物患者のための単位投与として適している物理的に分離している単位を表す；各単位は、所望の医薬的または獣医学的担体および／または希釈剤と一緒に、所望の治療効果を生じるように算出された予め決定された量の活性成分を含有する。本発明の新規投与単位形態のための明細は、（ａ）活性成分の特有の性質および達成しようとする特定の治療効果、ならびに（ｂ）特定の治療のためのかかる活性成分を化合する技術分野において固有の限界によって決められ、これらに直接依存する。
【００２７】
本発明の硫酸化オリゴ糖は、充実性腫瘍の増殖、増殖性網膜症および慢性関節リウマチに関連する脈管形成を含む脈管形成依存性疾患の治療において、ならびに、慢性関節リウマチ、多発性硬化症、インスリン依存性真性糖尿病、潰瘍性大腸炎およびクローン（Ｃhron）病などの炎症性腸疾患、同種異系移植片拒絶ならびに慢性喘息のような白血球浸潤が重要な要素である慢性炎症性疾患を含む、硫酸化オリゴ糖のヘパラナーゼ−阻害活性が白血球浸潤を阻害するのに特に有用である炎症性疾患および症状の治療において用いられる。
【００２８】
本明細書の全体を通して、特記しない限り、「を含む」という語句または「を含むこと」などの派生語は、指定された整数または整数のグループの包含を意味するが、いずれの他の整数または整数のグループの排除を意味しないと理解されるであろう。
【図面の簡単な説明】
【００２９】
【図１】図１は、イン・ビトロでのヒト脈管形成に対するマルトヘキサオース硫酸の効果を示す。上図は、培養開始後１４日目の対照脈管形成のデジタル画像である。下図は、２０μg／mlのマルトヘキサオース硫酸の存在下での脈管形成を示す。
【図２】図２は、イン・ビトロでのヒト脈管形成に対する種々の濃度のマルトース硫酸（□）、マルトテトラオース硫酸（〇）およびマルトヘキサオース硫酸（■）の効果を示す。データは、培養開始後１４日目の脈管形成応答のデジタル画像から得た。各値は、平均値±標準誤差である（ｎ＝４）。
【図３】図３は、イン・ビトロでのヒト脈管形成に対するピキア・ホルスティ（Ｐichia holstii）由来の種々の濃度（μg／ml）の硫酸化マンノペンタオースリン酸の効果を示す。データは、培養開始後１９日目の脈管形成応答のデータ画像から得た。各値は、平均値±標準誤差である（ｎ＝４）。
【図４】図４は、ラット乳腺癌１３７６２ ＭＡＴの転移に対する種々の鎖長の硫酸化マルトースオリゴ糖の効果を示す。対照動物には、オリゴ糖不在下で１３７６２ ＭＡＴ細胞を投与した。パネルＡでは、処置動物には、腫瘍細胞注射時に各化合物２mgを静脈内投与した。パネルＢでは、処置動物には、腫瘍細胞注射時に各化合物４mgを皮下投与した。垂直バーは、平均値の標準誤差を表す。
【図５】図５は、固定されたａＦＧＦへのＢＡＬＢ／ｃ ３Ｔ３上の細胞表面ヘパラン硫酸の結合を阻害することができる種々の鎖長の硫酸化マルトースオリゴ糖の能力の評価である。結合した３Ｔ３細胞は、ローズ・ベンガル染色法によって、および５４０nmでの色素吸光度を測定することによって定量化した。種々のマルトースオリゴ糖の硫酸化の程度は、表２に記載する。
【図６】図６は、ラット乳腺癌１３７６２ ＭＡＴの転移を阻害する能力に対するマルトヘキサオース硫酸の硫酸化の程度の効果を示す。ｘ軸に沿った数字は、マルトヘキサオース分子１個当たりの硫酸基の数を表す。対照動物には、化合物の不在下で腫瘍細胞を投与した。オリゴ糖は、腫瘍細胞注射時に２mg／ラットの投与量で静脈内投与した。垂直バーは、平均値の標準誤差を表す。
【図７】図７は、イン・ビトロでのヒト脈管形成に対する分子１個当たり種々の数の硫酸基を有するマルトヘキサオースの効果を示す。オリゴ糖を２００μg／mlで添加し、無血清培地中でアッセイを行った。該アッセイが血清含有（２０％ＦＣＳ）培地中で行われようとまたは無血清（無ＦＣＳ）培地中で行われようと、この実験では類似の脈管形成応答が観察された。分子１個当たり硫酸化物２０個を有するマルトヘキサオースは、最大に硫酸化された分子を表す。データは、４つの測定の平均値±標準誤差である。
【図８】図８は、イン・ビトロでのヒト脈管形成に対する硫酸化オリゴ糖を含有する種々のマンノースの効果を示す。括弧内の値は、オリゴ糖の硫酸化％を表す。オリゴ糖を２００μg／mlで添加し、血清含有培地中で該アッセイを行った。データは、４つの測定の平均値±標準誤差である。
【図９】図９は、ラット乳腺癌１３７６２ ＭＡＴの転移に対する種々の鎖長の硫酸化マンノースオリゴ糖の効果を示す。括弧内の値は、オリゴ糖の硫酸化％を表す。対照動物には、オリゴ糖の不在下で１３７６２ ＭＡＴ細胞を投与した。処置動物には、腫瘍細胞を静脈内注射した直後、各化合物２mg（Ａ）または４mg（Ｂ）を皮下投与した。垂直バーは、平均値の標準誤差を表す。
【図１０】図１０は、ラット乳腺癌１３７６２ ＭＡＴの転移に対する種々の鎖長の硫酸化ガラクトースおよびグルコースオリゴ糖の効果を示す。括弧内の値は、オリゴ糖の硫酸化％を表す。対照動物には、オリゴ糖の不在下で１３７６２ ＭＡＴ細胞を投与した。処置動物には、腫瘍細胞の静脈内注射の直後、各化合物２mgを皮下投与した。
【発明を実施するための形態】
【００３０】
前記で広く記載したとおり、本発明は、硫酸化オリゴ糖ならびに抗脈管形成剤、抗転移剤および／または抗炎症剤としてのそれらの使用に関する。
【００３１】
いくつかのオリゴ糖は、次の硫酸化のために天然原料から得ることができるが、所定の鎖長および立体化学のオリゴ糖を合成するための簡単な方法が非常に望まれている。本発明は、オリゴマーの糖モノマーが１→３、１→４および／または１→６結合で結合される、良好な収率で簡単な出発物質からヘキソース糖のオリゴマーを合成し単離するための改良された方法を提供するものである。このヘキソース糖のオリゴマーの製造方法は、良好な収率が得られ、オリゴマー化の程度が容易に制御され、この方法により得られた生成物が簡単なクロマトグラフィー法を用いて容易に単離され精製される同一の直鎖状オリゴマーであるという点で、かかる糖オリゴマーが従前に製造されていた方法と非常に対照的である。
【００３２】
糖ポリマーおよびオリゴマーを調製するための方法が開示されている多くの例が科学文献および特許文献において見ることができる。例えば、一般的に用いられる方法では、非修飾糖モノマーを単独または溶媒の存在下で、触媒の存在下、加熱して、種々のおよびしばしば不明確な化学結合を有する分枝鎖状および直鎖状ポリマー生成物が得られる（22, 23）。糖が陽イオン交換樹脂の存在下で溶融する別の方法（24）によると、高分子量の非常に枝分かれしたポリマーが得られる。これらの２つの例では、該ポリマーは、形成された各ポリマー結合のための１分子の水の付随的損失をもって形成される。公知の段階重合方法の別の例は、１位に非ヒドロキシル基（例えば、臭素または塩素原子など）、および他の糖ヒドロキシル基に保護基（例えば、アセチルなど）を有している糖が別の糖のヒドロキシル基と１位で反応させられる、ケニクス−クノール（Ｋoenigs−Ｋnorr）反応を利用することを含む（24）。これらの方法では、水以外の分子、例えばＨＢrは、ポリマー結合形成の間に失われる。このオリゴ糖の製造方法は、長時間に及び、複雑な出発物質の調製を必要とし、全収率が悪い（25）。
【００３３】
同様の方法で、炭素６に第一アルコール基、ならびに２、３および４位にＯ−保護基（例えば、アセチルなど）、および１位に臭素などの脱離基を含有するヘキソース糖が、特に酸化銀などの触媒の存在下で、自己縮合して、１,６結合ポリマーが得られることは知られている；この方法で１−ブロモ−２,３,４−トリ−Ｏ−アセチル−α−Ｄ−グルコースから一連のゲンチオデキストリンが製造された；しかしながら、該オリゴ糖の収率は、分子内縮合により誘導された１,６−アンヒドロ−β−Ｄ−グルコースの形成のために低かった；二量体の収率（１４％）および三量体の収率（２２％）は、良好ではなく、四量体および五量体の収率は、悪く（≦５％）、六量体は、ほんの１％の収率で単離されただけであった（26）。
【００３４】
より最近の刊行物には、無水糖誘導体の開環重合反応によって製造された１,６−結合−β−ピラノシル単位（27）およびＤ−デキストラン（28）のポリマーの化学的合成が開示されている。この方法は、無水糖出発物質を製造するのに相当な努力が必要とされることによって妨げられ、反応が例えば−６０℃で行われたとしてもこの方法によってオリゴ糖を容易に製造することができるという証拠は全くない。別の方法は、１,２,３,４−テトラ−Ｏ−アセチル−β−Ｄ−グルコースの酸性触媒化溶融重合化を用いて、１,６'−結合オリゴ糖酢酸の混合物を製造し、これは、脱アセチルし、クロマトグラフィー試験に付すと、ほとんどが単糖および二糖、すなわち、グルコース（１５％）、レボグルコサン（４％）およびゲンチオビオース（１６％）を含有することが示されたが、オリゴ糖収率は、容認されないほど低く、特に、ゲンチオトリオース（４％）およびゲンチオテトラオース（０.６％）であった（29）。この方法は、後により詳細に開示され（30）、重合化生成物の収率がわずかに改良されたが、期待されるオリゴマーの収率だけは非常に悪かった。
【００３５】
かくして、該文献から、数多くのオリゴ糖を製造するために数種類の方法が既に存在するが、容易に入手可能かつ廉価な出発物質から良好な収率でホモ−オリゴ糖を合成する方法は、現在までに全く開示されていなかったことが明らかである。
【００３６】
本発明に導く研究において、本発明者らは、特定のヘキソピラノ−オリゴ糖が容易に入手可能かつ廉価な出発物質から良好な収率で合成され得る方法を見いだした。この態様に関して、本発明は、減圧下、ルイス酸または他の触媒の存在下、不活性溶媒中、ヘキソースのアセチルまたは他のエステル誘導体を加熱することを含む、ヘキソピラノ−オリゴ糖の製造方法を提供するものである。
【００３７】
この方法に関して、グルコース、マンノース、ガラクトース、アルトロース、タロース、グロース、イドースおよびアロースの１,２,３,４−テトラ−Ｏ−アセチル誘導体を含むがこれらに限定されない、誘導体化ヘキソース糖のオリゴマー化は、Ｏ−アセチル化ヘキソースオリゴ糖が得られるように制御された方法で起こるように行うことができる。この方法では、オリゴマー化の程度（鎖長）は、オリゴマー化反応が起こる温度の操作によって、および反応が進行する時間を変化させることによって容易に制御することができる。オリゴマー化反応後、粗製生成混合物をさらにアセチル化に付して、残存するオリゴ糖の遊離ヒドロキシル基をアセチル化する。次いで、アセチル化オリゴ糖を吸着クロマトグラフィーによって容易に分離することができる。アセチル基は紫外線吸収を有しており、アセチル化オリゴ糖がカラムから連続して溶出される場合にアセチル化オリゴ糖を同定するための吸光分光分析の使用を容易にする。オリゴ糖混合物からアセチル保護基を除去することができ、得られたオリゴ糖をゲル濾過（サイズ排除）クロマトグラフィーによって大きさにしたがって分離することができる。
【００３８】
本明細書に記載する実施例では、硫酸化オリゴ糖は、それらの個々のナトリウム塩として単離され用いられる。カルシウムなどの他の医薬的に許容される塩または医薬的に許容されるアミン塩は、対応する方法で単離され用いられると理解されるであろう。したがって、本明細書における「硫酸化オリゴ糖」の言及は、硫酸化オリゴ糖のかかるナトリウムまたは他の医薬的に許容される塩を含むと理解されるべきである。
【００３９】
本発明のさらなる特徴は、以下の実施例においてより充分に記載される。しかしながら、この詳細な説明は、単に本発明を例示するために含まれており、如何なる場合も前記した本発明の広い説明についての制限として理解されるべきではないと理解されるべきである。
【００４０】
実施例１、２および３は、本明細書に記載した新規方法による合成オリゴ糖の製造を例示し、実施例４、５および６は、オリゴ糖の硫酸化方法を例示し、実施例７は、抗脈管形成剤、抗転移剤および／または抗炎症剤としての硫酸化オリゴ糖の使用を例示する（実施例１および２では、「ＮＤ」は、「測定されていない」ことを表す）。
【実施例】
【００４１】
実施例１
以下の方法でマンノースのオリゴ糖を得た：１,２,３,４−テトラ−Ｏ−アセチルマンノース（31）（１５.０g、４３mmol）および塩化亜鉛（１.５g）をテトラメチレン−スルホン（７ml）中で完全に混合し、この混合物を、約１１０℃で６時間、撹拌しつつ、減圧下で加熱した；この時、該反応マスは、固まり、蒸気（酢酸）発生が止んだ。反応時間の間、反応容器と真空源との間にソーダ石灰管を配置した。該反応混合物を冷却し、生成混合物の一部（１１.０g）を乾燥ピリジン（２０ml）に溶解し、この溶液に無水酢酸（２ml）を添加し、この混合物を大気水分から保護し、約５０℃で撹拌しつつ２時間加熱した。冷却後、エタノール（１０ml）を添加し、混合物を２時間放置した。ピリジン、エタノールおよび形成されたいずれの酢酸エチルも減圧下で蒸発させ、残留物を水で十分に洗浄して、塩化亜鉛、テトラメチレンスルホンおよびピリジンを除去した。残留物をジクロロメタンに溶解させ、水で洗浄し、有機層を無水硫酸ナトリウムで乾燥させた。まず該ジクロロメタン溶液をシリカゲル６０（１３０g）の短いカラム（４×４０cm）に添加し、まずクロロホルムで溶離し、次いで、アセトンで溶離することによって、誘導体化されたオリゴ糖を２つのフラクションに分離した。クロロホルムでの溶離により、完全にアセチル化された単糖およびマンノース３〜５単位を含有するオリゴマーの混合物（混合物Ａ）が得られた。次のアセトンでの溶離により、分子当たり６ないし１２までのマンノース単位を主に含有する完全にＯ−アセチル化されたオリゴマーの混合物（混合物Ｂ）が得られた。
【００４２】
混合物Ａ（４g）を、ｔｌｃ用シリカゲル（Ｈ）を充填したカラム（３.３×１３５cm）に添加した。該カラムを、１：５で開始し、最終比１：１が達成されるまでアセトンのパーセンテージを増加させるアセトン／石油エーテル（沸点６０−８０°）勾配液で溶離した。流速は、≦０.５ml／分であった。適切なフラクション（シリカゲルｔｌｃ分析によって決定された）を回収しプールし、減圧下で溶媒を除去することによって、以下のとおり、完全にＯ−アセチル化されたマンノースオリゴ糖１ａ−１ｄを得た（ｎ＝マンノース残基数；収率，分子回転（ｃ＝２,ＣＨＣl３））：１ａ,(３；０.７g，４.２％，[α]２７Ｄ＝＋ＮＤ)；１ｂ,(４；４.１g，８.４％，[α]２７Ｄ＝＋５０)；１ｃ,(５；１.２g，７.９％，[α]２７Ｄ＝＋４７.３)；１ｄ,(６；０.８g，５.２％，[α]２７Ｄ＝＋３６.０)。混合物Ｂ（７.０g）を、溶離勾配液が４：５のアセトン／石油エーテル（沸点６０−８０°）で開始し、アセトンのパーセンテージを１００％まで増加させること以外は、混合物Ａと同様の方法でクロマトグラフィーに付した。この方法で、以下のとおり、完全にＯ−アセチル化したマンノースオリゴ糖１ｄ−１ｊを得た（ｎ＝マンノース残基数；収率，分子回転（ｃ＝１,ＣＨＣl３））：１ｄ,(６；１.６g，１０.４％，[α]２７Ｄ＝＋ＮＤ)；１ｅ,(７；３.２g，２１.２％，[α]２７Ｄ＝＋５０.０)；１ｆ,(８；０.５g，３.４％，[α]２７Ｄ＝＋４７.０)；１ｇ,(９；０.７g，４.７％，[α]２７Ｄ＝＋５９)；１ｈ,(１０；０.９g，５.７％，[α]２７Ｄ＝＋５４)；１ｉ,(１１；０.０２g，０.１％，[α]２７Ｄ＝＋ＮＤ)；１ｊ,(１２；０.０３g，０.２％，[α]２７Ｄ＝＋ＮＤ)。
【００４３】
化合物１ａ（１.５５g）を乾燥メタノール（４０ml）に溶解させ、室温で撹拌しつつ、１Ｍメタノール性ナトリウムメトキシド（８.６ml）を添加した。得られた沈殿物を濾去し、メタノールで完全に洗浄し、乾燥させた。生成物（２ａ；０.６１g，７０％[α]２７Ｄ＝＋７２°）を、元素分析（ＣＨＮ値は、予想の±０.４％であった）、エレクトロスプレイマススペクトロメトリー（Ｍ＋５０４）およびｎｍｒ分光分析法によってマンノトリオースと同定した。オリゴマー１ｂ−１ｊを同様に処理して、以下のマンノースオリゴ糖を得た（ｎ＝マンノース残基数；アセチル化誘導体からの収率％，分子回転（ｃ＝１,Ｈ２Ｏ））：２ｂ,(４；７５％，[α]２７Ｄ＝＋７８°)；２ｃ,(５；８５％，[α]２７Ｄ＝＋８０°)；２ｄ,(６；９８％，[α]２７Ｄ＝８４°)；２ｅ,(７；９８％，[α]２７Ｄ＝８６.３°)；２ｆ,(８；９９％，[α]２７Ｄ＝＋９８.０°)；２ｇ,(９；９９％,[α]２７Ｄ＝＋１０６°)；２ｈ,(１０；９９％，[α]２７Ｄ＝＋１００°)；２ｉ,(１１；９８％[α]２７Ｄ＝ＮＤ)；２ｊ,(１２；９８％，[α]２７Ｄ＝ＮＤ)。
【００４４】
別法として、ゲル濾過（サイズ排除）クロマトグラフィーによって、これらのマンノースオリゴ糖を単離することができる。かくして、前記と同様に約１１０℃で６時間、減圧下で、テトラメチレン−スルホン（７ml）中での１,２,３,４−テトラ−Ｏ−アセチルマンノース（１５.０g、４３mmol）および塩化亜鉛（１.５g）の完全撹拌混合物を加熱することによって、アセチル化マンノースオリゴ糖の混合物を得た。該反応混合物を冷却し、水（５０ml）を添加し、反応混合物を室温で５分間撹拌し、水層を廃棄した。この洗浄工程を繰り返し、次いで、該マスをクロロホルムに溶解させ、水で洗浄し、無水硫酸ナトリウムで乾燥させた。濾過後、減圧下、クロロホルムを除去して、粗製アセチル化オリゴ糖混合物（１１.３g）を得た。この混合物をイソプロパノール（２０ml）およびメタノール（６０ml）に溶解させ、次いで、メタノール中１Ｍナトリウムメトキシド（８ml）を添加し、該混合物を室温で１時間放置した。得られた沈殿物を濾去し、メタノール（３０ml）で２回洗浄した。乾燥後、この生成混合物（６.５g）を、６０℃で２日間水を流す（流速０.５ml／分）ことによって安定化させたファイン用Ｐ２ゲル（バイオラッド（ＢioＲad））ゲル濾過カラム（ジャケット付；５×９０cm）の上部に添加した。該カラムを流速０.５ml／分で水で溶離した。該カラムから溶出する生成物を示差屈折計によりピークと同定し、したがって、フラクションを回収した。この方法で、１１個の別々のピーク下面積に対応するフラクションを回収した。これらのフラクションの各々を、６０℃に維持した同一のＰ２ゲルカラムで再クロマトグラフィーに付し、流速０.５ml／分で水で溶離した。かくして、例えば、第１のゲル濾過操作からのマンノペンタオース（０.９g）に対応すると同定されたフラクションを再クロマトグラフィーに付して、いずれかの側に１つの肩を有する主要中心ピークを得た。中心ピークにおいて溶出する生成物を、減圧下で水を除去して物質（０.５g）を得、これを流速０.３ml／分で６０℃の同一Ｐ２ゲルカラムで再度再クロマトグラフィーに付すことによって、単離した。この方法で、前記２ｃと同一のマンノペンタオース（０.３g）を得た。測定値：Ｃ,３８.４；Ｈ,６.７；Ｃ３０Ｈ５２Ｏ２６.６Ｈ２Ｏの理論値：Ｃ,３８.５；Ｈ,６.８％。窒素の値は、測定値０％および理論値０％であった。
【００４５】
該化合物は、ＨＰＬＣによって実質的に純粋であることが判明した。これは、以下に記載のディオネックス（Ｄionex）ＨＰＬＣシステムで決定した。
【００４６】
カラム：  コード−ＣＰＭＡ１＃１２９１（＋ガード＃１１７２）。第４級アンモニウムイオン交換カラム。
検出器：  電気化学検出器（ＥＤ４０：ＩＡＭＰ）。
流速：    １ml／分。
溶媒：    溶液Ａ：  ０.１Ｍ ＮaＯＨ
溶液Ｂ：  ０.１Ｍ ＮaＯＨ中１Ｍアセテート。
勾配液：  時間（分） ％Ａ ％Ｂ 作用
０        ９５        ５    溶離
２０        ９０      １０    溶離
２５          ０    １００    溶離／洗浄
３０          ０    １００    溶離／洗浄
【００４７】
エレクトロスプレイマススペクトロメトリーは、この化合物が、マンノペンタオースの正しい分子量、質量Ｍ＋８２８を有することを示した。同様の方法で、前記２ａ、２ｂ、２ｄおよび２ｅと同一のマンノトリオース、マンノテトラオース、マンノヘキサオースおよびマンノヘプタオースを単離した。
【００４８】
実施例２
この実施例は、実施例１よりも低い温度で重合反応を行う効果を示す。重合反応が９０℃で８時間行われた以外は、前記実施例１で概略記載した方法によって生成されたマンノースオリゴ糖についてと同様の方法で、１,２,３,４−テトラ−Ｏ−アセチルグルコースの重合化によって、グルコースのオリゴ糖を得た。該反応混合物を実施例１におけると同様に処理し、該生成物を、カラム（７cm×１５５cm）にｔｌｃ用シリカゲル（Ｈ）を充填したカラムクロマトグラフィーに付すことによって単離した。実施例１に記載のものと同様の溶離方法を用いて、以下のとおり、完全にＯ−アセチル化したグルコースオリゴ糖３ａ−３ｅを得た（ｎ＝グルコース残基数；収率，分子回転（ｃ＝２,ＣＨＣl３））：３ａ,(３；４.１４g，２４.９％，[α]２７Ｄ＝＋３７.５°)；３ｂ,(４；２.９２g，１８.４％，[α]２７Ｄ＝＋４４°)；３ｃ,(５；２.９９g，１９.１％，[α]２７Ｄ＝＋３７.５°)；３ｄ,(６；１.３７g，８.９％，[α]２７Ｄ＝＋３６°)；３ｅ,(７；０.１８g，１.２％，[α]２７Ｄ＝＋３９°)。
【００４９】
化合物３ａ（１.０g）を乾燥メタノール（３０ml）に溶解させ、室温で撹拌しつつ、１Ｍメタノール性ナトリウムメトキシド（５.５ml）を添加した。得られた沈殿物を濾去し、メタノールで完全に洗浄し、乾燥させた。生成物（４ａ；[α]２７Ｄ＝６８.５°）を、元素分析、エレクトロスプレイマススペクトロメトリー（Ｍ＋＝５０４）およびｎｍｒ分光分析法によりグルコトリオースと同定した。オリゴマー４ｂ−４ｅを同様に処理して、以下のグルコースオリゴ糖を得た（ｎ＝グルコース残基数；収率％，分子回転（ｃ＝２,Ｈ２Ｏ））：４ｂ,(４；８５％，[α]２７Ｄ＝＋８３°)；４ｃ,(５；９０％，[α]２７Ｄ＝＋８４°)；４ｄ,(６；９０％，[α]２７Ｄ＝＋８６°)；４ｅ,(７；８９％，[α]２７Ｄ＝＋９２.５°)。
【００５０】
別法として、ゲル濾過（サイズ排除）クロマトグラフィーによって、これらのグルコースオリゴ糖を単離することができる。かくして、前記と同様に約１１０℃で６時間、減圧下、テトラメチレン−スルホン（７ml）中で１,２,３,４−テトラ−Ｏ−アセチルグルコース（１５.０g、４３mmol）および塩化亜鉛（１.５g）の完全撹拌混合物を加熱した後に、アセチル化グルコースオリゴ糖の混合物を得た。該反応マスをジクロロメタンに溶解させ、水で洗浄し、無水硫酸ナトリウムで乾燥させた。減圧下、ジクロロメタンを除去し、生成物を計量し、イソプロパノール（２０ml）およびメタノール（６０ml）に溶解させ、次いで、メタノール中１Ｍナトリウムメトキシド（９ml）を添加し、該混合物を室温で１時間放置した。得られた沈殿物を濾去し、メタノール（３０ml）で２回洗浄した。この混合物の一部（７.６g）を水（１０ml）に溶解させ、ファイン用Ｐ２サイズ排除ゲル（バイオラッド（ＢioＲad））を充填した５×９０cmウォータージャケット付クロマトグラフィーカラムに添加した。該カラムには、使用前２日間、充填し、予備加熱し、６０℃で流した。グルコースオリゴ糖の混合物の添加後、カラムを６０℃で維持し、水（１ml／分）で溶離した。カラムから溶出する生成物を、示差屈折計によりピークと同定し、したがって、フラクションを回収した。この方法で、１０個の別々のピーク下面積に対応するフラクションを回収した。これらのフラクションの各々を、６０℃の同一Ｐ２ゲルカラムで再クロマトグラフィーに付し、流速０.５ml／分で水で溶離した。かくして、例えば、グルコペンタオース（０.５９g）に対応すると同定されたフラクションを再クロマトグラフィーに付して、いずれかの側に１つの肩を有する主要中心ピークを得た。中心ピークにおいて溶出する生成物を、減圧下で水を除去して物質（０.３g）を得、これを流速０.３ml／分で６０℃の同一Ｐ２ゲルカラムで再度再クロマトグラフィーに付すことによって、単離した。この方法で、前記４ｃと同一のグルコペンタオース（０.２g）を得た。同様の方法で、前記４ａ、４ｂ、４ｄおよび４ｅと同一のグルコトリオース、グルコテトラオース、グルコヘキサオースおよびグルコヘプタオースを単離した。
【００５１】
実施例３
実施例１および２に記載の方法にしたがって、ガラクトース、アルトース、タロース、グロース、イドースおよびアロースを含む他のヘキソース糖のオリゴ糖を得ることができる。
【００５２】
例えば、以下の方法でガラクトースのオリゴ糖を得た。１,２,３,４−テトラ−Ｏ−アセチルガラクトース（２１.０g）および塩化亜鉛（２.１g）をテトラメチレン−スルホン（１０ml）中で完全に混合物し、この混合物を、約９０℃で１７時間、撹拌しつつ減圧下で加熱した；この時、該反応マスは、固まり、蒸気（酢酸）発生が止んだ。反応時間の間、反応容器と真空源との間にソーダ石灰管を配置した。該反応混合物を冷却し、次いで、該反応マスをジクロロメタンに溶解させ、水で洗浄し、無水硫酸ナトリウムで乾燥させた。減圧下、ジクロロメタンを除去し、生成物を計量し、イソプロパノール（３０ml）およびメタノール（７０ml）に溶解させ、次いで、メタノール中１Ｍナトリウムメトキシド（１０ml）を添加し、該混合物を室温で１時間放置した。得られた沈殿物を濾去し、メタノール（３０ml）で２回洗浄した。この混合物を、前記実施例１および２におけるマンノースおよびグルコースポリマーについてと同様にゲル濾過クロマトグラフィーに付すことによって分離した。カラムから溶出する生成物を、示差屈折計によりピークと同定し、したがって、フラクションを回収した。この方法で８つのフラクションを回収した。これらのフラクションのうち７つを、６０℃の同一Ｐ２ゲルカラムで２回再クロマトグラフィーに付し、最初の操作の間は流速０.５ml／分で、次の操作では０.３ml／分で水で溶離した。この方法で、以下のガラクトースオリゴ糖を得た：ガラクトトリオース，１.０３g，５.３％；ガラクトテトラオース，１.１５g，６.０％；ガラクトペンタオース，１.２１g，６.３％；ガラクトヘキサオース，４.２６g，２２.１％；ガラクトヘプタオース，２.１１g，１１％；ガラクトオクタオース，１.９１g，９.９％およびガラクトノナオース，０.０８g，０.４％。
【００５３】
実施例４
８０℃の新しく蒸留したＤＭＦ（１ml）中の三酸化硫黄−ピリジン複合体（０.８g）（アルドリッチ（Ａldrich））の溶液に乾燥ピリジン（３ml）中のマンノペンタオース（２ｃ）（０.１g）の溶液を滴下し、全体を８０℃でさらに９０分間加熱した。上清を加温しつつデカントし、粘性のある残留物をメタノール（２ml）で３回完全に洗浄した。残存メタノールをデカントした後、該生成物を水（５ml）に溶解させ、強く撹拌しつつ酢酸バリウム（水２ml中約０.４g）で中和した（pＨ約６に）。遠心分離（３,０００×ｇ）した後、上層の液体をデカントし、保留し、沈殿した硫酸バリウムペレットを水（３×１０ml）で完全に洗浄した。保留した上層の液体および洗液を合わせ、ダウエックス（ＤＯＷＥＸ）５０Ｗ−Ｘ８−４００陽イオン交換樹脂（Ｈ＋形）のカラム（１.０×１４cm）に入れた。該カラムを、溶出液が中性になるまで水で溶離した。溶出液（約５０ml）を撹拌し、酢酸ナトリウム（０.７g）で中和した（pＨ約７に）。該溶液をアセトン（２００ml）で希釈し、遠心分離（１,７５０×ｇ）して、生成物を分離した。該ペレットを、メタノール下で破砕することによって微細に粉砕し、次いで、メタノール下のまま撹拌し、次いで、濾去した。固体をメタノールで数回洗浄して、純粋な（無機塩不含）化合物（０.２g；６６％）を得た。該生成物には、バリウムイオン（微量分析およびフレームイオン化による）および窒素（微量分析）は混入していなかった。
【００５４】
硫酸化マンノペンタオース生成物は、硫酸化される可能な１７個の位置のうち１１個を有することが判明した。測定値：Ｃ,１４.２；Ｈ,３.０；Ｓ,１４.１；Ｎa,７.３。Ｃ３０Ｈ６０Ｏ５９Ｓ１１Ｎa８.３６Ｈ２Ｏの理論値：Ｃ,１４.１；Ｈ,５.２；Ｓ,１３.８；Ｎa,７.２％。窒素およびバリウムの値は、測定値０％および理論値０％であった。
【００５５】
実施例５
乾燥窒素雰囲気下、乾燥ＤＭＦ（５ml）中の三酸化硫黄−ピリジン複合体（アルドリッチ・ケミカル・カンパニー（Ａldrich Ｃhemical Ｃompany））（４g）の混合物に乾燥ピリジン（１０ml）を添加した。この混合物を５０℃に加温し、迅速に撹拌しつつ、前記実施例２に記載の方法によって単離されたグルコヘキサオース（４ｄ）（０.５g）を一度に添加した。さらにピリジン（５m）を添加し、次いで、該混合物を、８０℃で９０分間、連続撹拌しつつ加熱した。次いで、該反応混合物を４℃で一晩維持した。反応容器から液体をデカントし、メタノール（３ml）を添加し、半固体マスを粉砕し、メタノールと完全に混合した。沈殿後、該メタノールをデカントし、この方法を繰り返した。残存する固体に水（５ml）を添加し、得られた溶液を５０mlの試験管に入れた。反応容器をさらに水（５ml）で濯ぎ、最初の溶液と合わせた。得られた溶液を４０％ＮaＯＨでpＨ約７−８に調節し、次いで、メタノール（４０ml）を添加した。得られた濁った溶液を２５分間遠心分離し（３,０００×ｇ）、透明溶液を沈殿物からデカントした。残存する固体を水（１０ml）に再度溶解させ、メタノール（４０ml）を添加し、該試験管を前のとおり遠心分離した。透明な上層溶液をデカントした後、固体を水（１０ml）に溶解させ、Ｐ２ゲル脱塩カラム（２.５cm×２５０cm；ファイン用Ｐ２ゲル − バイオラッド（ＢioＲad））を通して流して、予想される１,６−グルコヘキサオースの硫酸化誘導体のナトリウム塩を得た。
【００５６】
実施例６
ヘキソースホモポリマーの合成は、実施例１、２および３に記載されているが、通常、ほとんどのオリゴ糖構造を合成するのは非常に困難である。かくして、より簡単なアプローチは、天然原料から所定の構造のオリゴ糖を硫酸化することである。この実施例で用いた天然生成物オリゴ糖は、２つのクラスのものであった。第１のクラスは、さらなる分解および分別を必要としないオリゴ糖を含有していた。このクラスの例としては、マルトース、ラフィノースおよびスタキオースが挙げられる。第２のクラスは、酵素的または化学的に一部分解され、サイズ分別された天然多糖から得られたオリゴ糖からなっていた。このクラスの例としては、アミロース−、コンドロイチン−およびデキストラン−誘導オリゴ糖ならびに酵母ピキア・ホルスティ（Ｐichia holstii）由来のマンノペンタオースリン酸が挙げられる。
【００５７】
マルトース、ラフィノースおよびスタキオースは、ミズーリ州セント・ルイスのシグマ・ケミカル・カンパニー（Ｓigma Ｃhemical Ｃo）から購入した。マルトトリオース、マルトテトラオース、マルトペンタオース、マルトヘキサオースおよびマルトヘプタオースは、日本国東京のセイカガク（Ｓeikagaku）から入手し、α１−４結合グルコースホモポリマー、アミロースの制限されたアミラーゼ消化物から精製されたオリゴ糖を表す。コンドロイチン四糖、六糖および八糖は、従前の開示（32）に従ってコンドロイチン−６−硫酸のウシ睾丸ヒアルロニダーゼ消化物のゲル濾過分別によって精製した。シクロヘキサ−、ヘプタ−およびオクタ−アミローズは、シグマ（Ｓigma）から入手した。これらのオリゴ糖は、実施例５に記載したと同様に硫酸化してもよい。
【００５８】
例えば、以下の方法でマルトヘキサオース硫酸を製造した。８０℃の新しく蒸留したＤＭＦ（５ml）中の三酸化硫黄−ピリジン複合体（４.０g）（アルドリッチ）の溶液に乾燥ピリジン（１５ml）中のマルトヘキサオース（０.５g）の溶液を滴下し、全体を８０℃でさらに９０分間加熱した。上清を加温しつつデカントし、粘性のある残留物をメタノール（１０ml）で３回完全に洗浄した。残存メタノールをデカントした後、該生成物を水（１５ml）に溶解させ、強く撹拌しつつ酢酸バリウム（水１０ml中約２.０g）で中和した（pＨ約６に）。遠心分離（３,０００×ｇ）した後、上層の液体をデカントし、保留し、沈殿した硫酸バリウムペレットを水（３×１０ml）で完全に洗浄した。保留した上層の液体および洗液を合わせ、ダウエックス（ＤＯＷＥＸ）５０Ｗ−Ｘ８−４００陽イオン交換樹脂（Ｈ＋形）のカラム（２.５×１４cm）に入れた。該カラムを、溶出液が中性になるまで水で溶離した。溶出液（約２５０ml）を撹拌し、酢酸ナトリウム（３.５g）で中和した（pＨ約７に）。該溶液をアセトン（１Ｌ）で希釈し、遠心分離（１,７５０×ｇ）して、生成物を分離した。該ペレットを、メタノール下で破砕することによって微細に粉砕し、次いで、メタノール下のまま撹拌し、次いで、濾去した。濾液をメタノールで数回洗浄して、純粋な（無機塩不含）化合物（０.８８g；５５％）を得た。該生成物には、バリウムイオン（微量分析およびフレームイオン化による）および窒素（微量分析）は混入していなかった。
【００５９】
この生成物は、硫酸化される可能な２０個の位置のうち１４個を有することが判明した。測定値：Ｃ,１３.９；Ｈ,２.２；Ｓ,１４.３；Ｎa,６.７％。Ｃ３６Ｈ７１Ｏ７３Ｓ１４Ｎa９.４５Ｈ２Ｏの理論値：Ｃ,１３.８；Ｈ,５.１；Ｓ,１４.３；Ｎa,６.６％。窒素およびバリウムの値は、各々、測定値０.３２％および０％ならびにいずれの理論値も０％であった。
【００６０】
１Ｈ ＮＭＲデータ（３００ＭＨＺ − ジェミニ（Ｇemini）３００；ＴＭＳからのアセトン２.２５ppmダウンフィールドから参照した）；前記マルトヘキサオース硫酸について、可能な２０個の位置のうち１４個が硫酸化されたことを示した。これは、４.１５ppm付近に集中した水素の化学シフト（２０Ｈの総和を示す）対４.４ppm付近に集中した水素の化学シフト（１６Ｈの総和を示す））から決定した。主要なＯＨ基のすべて、すなわち、６位のものは、これが最小に立体的妨害される位置であるので、硫酸化されるであろうと仮定することができる。さらに、内部糖残基において、一の他の位置だけが硫酸化されるであろうと仮定される。６位のものに加えて、末端の糖残基は、各々、硫酸化される２つの他の位置を有するであろう。
【００６１】
二倍体酵母ピキア・ホルスティ（以前はハンゼヌラ・ホルスティ（Ｈansenula holstii）であった株ＮＲＲＬ Ｙ−２４４８）によって生産されたエキソ多糖からマンノペンタオースリン酸を製造した。ピキア・ホルスティの増殖およびマンノペンタオースリン酸の単離の方法は、従前に開示されたもの（33, 34）に基づいた。すなわち、エタノール沈殿法によって、好気性増殖酵母培養液上清から粗製エキソ多糖をカリウム塩として単離した。次いで、酸性加水分解法を用いて、エキソ多糖のホスホマンナンモノエステル核（ＰＰＭＥ）からマンノペンタオースリン酸を遊離した。次いで、ＰＰＭＥおよびマンノペンタオースリン酸を、示差エタノール沈殿法により、次いで、ゲル濾過により、バリウム塩としてお互いに分離した。該オリゴ糖は、Ｐ−６−Ｍan−α−(１→３)−Ｍan−α−(１→３)−Ｍan−α−(１→３)−Ｍan−α−(１→２)Ｍanの構造を有する（34）。
【００６２】
以下の方法で、酵母のエキソ多糖から単離した酵母マンノペンタオースリン酸の硫酸化物（33, 34）を製造した。ＤＭＦ（２ml）およびピリジン（３ml）中の酵母マンノペンタオースリン酸（０.０９g）の懸濁液をＤＭＦ（１ml）中の三酸化硫黄−ピリジン複合体（０.８g）（アルドリッチ）の溶液に添加した。該混合物を８０℃で２時間加熱した。上清を加温しつつデカントし、粘性のある残留物をメタノール（２ml）で３回完全に洗浄した。残存メタノールをデカントした後、該生成物を水（５ml）に溶解させ、強く撹拌しつつ、酢酸バリウム（水５ml中約０.７g）で中和した（pＨ６に）。遠心分離（３,０００×ｇ）後、上層の液体をデカントし、沈殿した硫酸バリウムペレットを水（３×１０ml）で完全に洗浄した。上層の液体および洗液を合わせ、ダウエックス（ＤＯＷＥＸ）５０Ｗ−Ｘ８−４００陽イオン交換樹脂（Ｈ＋形）のカラム（２.５×１４cm）に入れた。該カラムを、溶出液が中性になるまで水で溶離した。溶出液（約５０ml）を撹拌し、酢酸ナトリウム（約０.４g）で中和した（pＨ７に）。該溶液をアセトン（１５０ml）で希釈し、遠心分離（１,７５０×ｇ）して、生成物を分離した。ペレットをメタノール下で粉砕することによって微細に粉砕し、メタノール下のまま撹拌し、次いで、濾去した。固体をメタノールで数回洗浄して、硫酸化酵母マンノペンタオースリン酸（０.１８g）を得た。該生成物には、バリウムイオン（微量分析およびフレームイオン化によって決定した）および窒素（微量分析）は混入していなかった。
【００６３】
この生成物は、硫酸化される可能な１６個の位置のうち１０個を有することが判明した。測定値：Ｃ,１５.３５；Ｈ,２.７；Ｐ,１.２；Ｓ,１３.７；Ｎa,８.５％；Ｃ３０Ｈ４１Ｏ５９ＰＳ１０Ｎa９.２５Ｈ２Ｏの理論値：Ｃ,１５.３；Ｈ,３.５；Ｐ,１.３；Ｓ,１３.６；Ｎa,８.８％。窒素およびバリウムの値は、各々、０.１６％および０％であり、各理論値は０％であった。
【００６４】
デキストラン（平均ＭＷ７１,０００；シグマ・ケミカル・カンパニー）の酸性加水分解によって、１,６−α−グルコースオリゴ糖を製造した。かくして、デキストラン（５g）を蒸留水（１００ml）に溶解させ、この溶液を１Ｍ塩酸でpＨ１.８に調節した。該混合物を４８時間還流した（１００℃）。該混合物を減圧下で乾燥させ、蒸留水で１００mlに調製し、減圧下、再度乾燥させた。残留物に無水エタノール（１００ml）を添加し、減圧下、蒸発させた。残留物を蒸留水で４mlに調製し、ファイン用Ｐ２サイズ排除ゲル（バイオラッド）を充填した５×９０cmウォータージャケット付クロマトグラフィーカラムに添加した。該カラムは、使用前２日間、充填し、予備加熱し、６０℃で流した。１,６−α−グルコースオリゴ糖の混合物の添加後、該カラムを６０℃に維持し、水（１ml／分）で溶離した。カラムから溶出する生成物を、示差屈折計によってピークと同定し、したがって、フラクションを回収した。この方法で、別々のピーク下面積に対応するフラクションを回収した。これらのフラクションの各々を６０℃にて同一Ｐ２ゲルカラムで再クロマトグラフィーに付し、流速０.５ml／分で水で溶離した。かくして、例えば、１,６−α−グルコヘキサオース（０.１９g）に対応すると同定されたフラクションを再クロマトグラフィーに付して、いずれかの側に１つの肩を有する主要中心ピークを得た。中心ピークにおいて溶出する生成物を、減圧下で水を除去して物質（０.５g）を得、これを流速０.３ml／分で６０℃にて同一Ｐ２ゲルカラムで再度再クロマトグラフィーに付すことによって、単離した。この方法で、グルコヘキサオース（０.１４g）を得た（エレクトロスプレイＭ＋＝９９０）。同様の方法で、１,６−α−グルコトリオース、１,６−α−グルコテトラオース（０.２１g）および１,６−α−グルコペンタオース（０.１７g）を単離した。
【００６５】
実施例７
Ａ．物質および方法
硫酸化オリゴ糖の抗凝固活性
従前に開示された（35）と同様に、トロンビン時間法および活性化部分トロンボプラスチン時間法の両方を用いて、各硫酸化オリゴ糖の抗凝固活性を評価した。各調製物の活性を、ヘパリン対照と比較し、抗凝固活性は、ヘパリン活性のパーセンテージで表した。
【００６６】
ヒト脈管形成アッセイ
用いたアッセイ法は、国際特許出願番号PCT/AU95/00105に開示されている（その記載内容は、引用して本明細書の記載とする）。生後６時間以内のヒト胎盤の表面から直径約１〜２mmおよび長さ２〜５cmの血管を切除した。該血管を２.５mg／mlのフンギゾンを含有するハンクスＢＳＳ中に置き、微細な切開用鉗子および虹彩切除用鋏を用いて、１〜２mmの長さの断片に切断した。血管断片から残存血餅を取り除き、使用前にハンクスＢＳＳに浸漬した。血管の切開および分断は、拡大鏡ランプ（オーストラリア、ニューサウスウェールズ、バルメイン、ニューバウンドのマギーランプ（Ｍaggylamp））の助けを借りて行った。細静脈および動脈由来の血管から同様の脈管形成応答が得られたが、各アッセイについて、１つの血管のみからの血管断片を用いた。
【００６７】
脈管形成アッセイを２４または４８ウエル培養プレート（マサチューセッツ州ケンブリッジのコスター（Ｃostar））中で行った。２４ウエルフォーマットにおいて、各ウエルにウシトロンビン（０.１５Ｍ ＮaＣl中５０ＮＩＨ単位／ml；ミズーリ州セントルイスのシグマ・ケミカル・カンパニー）３０μlを添加し、次いで、Ｍedium １９９中３mg／mlのウシフィブリノーゲン（シグマ）を１.０ml／ウエルで添加した。トロンビンおよびフィブリノーゲンを迅速に混合し、血餅形成前に１つの血管断片を素早くウエルの中央に置いた。通常、３０秒以内にフィブリンゲル形成が生じ、血管断片を該ゲル中に浮遊させたままにした。ゲル形成後、２０％ウシ胎児血清（ＦＣＳ）、ε−アミノカプロン酸０.２mg、Ｌ−グルタミンおよび抗生物質（ゲンタマイシンおよびフンガゾン）で補足したＭedium １９９を１.０ml／ウエルで添加した。４８ウエルフォーマットにおいては、全ての試薬容量を半分にした。培地を２週間毎に替えつつ、１４〜２１日間、加湿環境中、３７℃で血管を培養した。脈管形成を、倒立顕微鏡（日本国東京のオリンパス（Ｏlympus））に設置したダイカム（Ｄycam）デジタルカメラで得られた培養物のデジタル画像の、ＮＩＨイメージソフトウエアを用いるコンピューターによる画像分析によって定量化した。
【００６８】
ヘパラナーゼアッセイ
ヘパラナーゼアッセイは、血清タンパク質であるヒスチジンリッチ糖タンパク質（ＨＲＧ）がヘパラン硫酸鎖に結合し、ヘパラナーゼ切断部位を遮蔽するという観察結果に基づく。ヘパラナーゼ切断ヘパラン硫酸がＨＲＧに結合しないという発見に基づいて、３Ｈ標識ヘパラン硫酸鎖をヘパラナーゼで消化し、消化されたヘパラン硫酸をＨＲＧ結合ビーズに結合させ、未結合３Ｈ標識を測定することを含むヘパラナーゼアッセイが開発された。基質の消化が増大するにしたがって、ＨＲＧビーズに結合しない３Ｈ標識の量も増加する。かくして、この方法は、組織抽出物中のヘパラナーゼ活性を測定し、種々の化合物によるヘパラナーゼ阻害を評価するための簡単かつ迅速な方法である。
【００６９】
まず、ウシ腸ヘパラン硫酸（Ｍr平均３２kＤa）をヒドラジン水和物（36）中で加熱することによって部分的に脱Ｎ−アセチルし、３Ｈ−無水酢酸で再アセチル化した。Rylattら（1981）（37）の方法によって精製したニワトリＨＲＧを製造者の指示に従ってＣＮＢr活性化セファロース（Ｓepharose）４Ｂ（ファルマシア（Ｐharmacia））に結合させた。
【００７０】
精製したヒト血小板ヘパラナーゼ（非常に転移性のある培養ヒト癌腫ＨＣＴ １１６、ラット腺癌１３７６２ ＭＡＴおよびマウス黒色腫Ｂ１６細胞株中に存在するヘパラナーゼ活性とヘパラン硫酸に対して同一活性を有することを示した）を６０ピコモルの３Ｈ−放射性標識ウシ腸ヘパラン硫酸と一緒にインキュベートすることによって（３７℃、３０分）、ヒト血小板ヘパラナーゼ活性を決定した。活性は、大きな切断されない基質および部分的に切断された基質を保持したＨＲＧ−セファロースミニカラム（ビーズを充填した２００μl）を介してインキュベーション混合物（１００μl）が通過した後に結合しなかった小さな（約５kＤa）ヘパラン硫酸断片の生産率によって決定した。
【００７１】
ヘパラナーゼ−阻害アッセイでは、放射性標識基質の添加前に酵素に種々の濃度の阻害剤を添加した。該阻害剤は、インキュベーション期間の間、反応混合物中に保持されている。
【００７２】
転移アッセイ
種々の硫酸化オリゴ糖の抗転移活性は、非常に転移性のあるラット乳腺癌１３７６２ ＭＡＴ（35）を用いて評価した。腫瘍細胞は、従前に開示された（35）と同様にイン・ビトロで維持した。雌性フィッシャー（Ｆisher）３４４ラット（１０〜１３週齢）に１０％ＦＣＳを含有するＲＰＭＩ １６４０培地０.６ml中の２×１０５個の１３７６２ ＭＡＴ細胞を静脈内注射した。腫瘍細胞注射時に、動物に硫酸化オリゴ糖２mgも注射し、オリゴ糖を静脈内、腹腔内または皮下注射した場合に同様の結果が得られた。腫瘍細胞注射後１３日目にラットから肺を取り出し、少なくとも２４時間、ブアン（Ｂouin）溶液中に置き、次いで、解剖顕微鏡下で肺転移を評価した。硫酸化オリゴ糖処置ラットにおける肺転移の数を、対照動物において観察されたものと比較した。ここで、少なくとも４匹の動物が各グループに含まれる。
【００７３】
ＦＧＦ−ヘパリン／ヘパラン硫酸化相互作用に対する硫酸化オリゴ糖の効果
ほかに詳細に開示されている（38）結合アッセイを用いて、ａＦＧＦおよびｂＦＧＦのヘパリンへの結合を測定し、種々の硫酸化オリゴ糖のこの相互作用を阻害する能力を評価した。すなわち、ＦＧＦを９６ウエルＰＶＣプレートのウエル中に固定化し、放射性標識ヘパリンの固定されたＦＧＦへの結合を評価した。阻害アッセイでは、硫酸化オリゴ糖の段階希釈液を、それらのＦＧＦ−ヘパリン相互作用を阻害する能力について試験した。阻害結果は、固定したＦＧＦへのヘパリン結合を２０％または５０％阻害するのに必要とされる硫酸化オリゴ糖の濃度として表した。非標識ヘパリンは、全ての結合阻害試験において対照として含んだ。
【００７４】
ＢＡＬＢ／ｃ ３Ｔ３線維芽細胞のＰＶＣ固定化ＦＧＦへの結合を測定することによって、以前に報告されたように（39）、ＦＧＦ−ヘパラン硫酸相互作用を評価した。細胞結合は、付着細胞のローズ・ベンガル染色によって検出した。硫酸化オリゴ糖を、全体としてＢＡＬＢ／ｃ ３Ｔ３細胞の表面のヘパラン硫酸構造に依存する（39）、それらのこの細胞付着プロセスを阻害する能力について試験した。データは、細胞付着を５０％阻害した硫酸化オリゴ糖の濃度（ＩＣ５０）として表した。
【００７５】
空気嚢（air pouch）炎症モデル
該アッセイは、従前に報告された方法（40）に基づく。１日目に麻酔したマウスの肩甲骨の間の剃毛領域の皮膚の下に無菌空気５mlを注入することによって、マウスの背中に皮下空気嚢を形成した。３日目に、該空気嚢を空気２.５mlの注入によって再度膨張させた。５６mg／mlのチオグリコラート１.０mlまたは対照として生理食塩水１.０mlを空気嚢中に直接注入することによって、６日目に炎症を誘発した。チオグリコラート注入の約１７−２０時間後、動物を頸部脱臼により殺し、空気嚢の細胞性内容物を氷冷ＰＢＳ／５％ＦＣＳ ２.５mlの注射によって回収した。硫酸化オリゴ糖を、チオグリコラートの投与直後に離れた部位において皮下注射（ＰＢＳ中５０μl）することによって、それらの炎症反応を阻害する能力について試験した。対照抗炎症薬としてプレドニゾロンを用い、２５mg／kgで油中で皮下注射した。各空気嚢の全細胞性内容物を、コールターカウンターを用いて決定し、免疫蛍光フローサイトメトリーによって種々の白血球サブポピュレーションを評価した。
【００７６】
マウス喘息モデル
従前に報告されたマウスの喘息モデル（41）を用いて、硫酸化オリゴ糖の、肺へのエアロアレルギン（オバルブミン、ＯＶＡ）誘発好酸球浸潤を阻害する能力を試験した。マウス（Ｃ５７ＢＬ／６、６−１０週齢）を、０日目および１２日目に０.９％無菌生理食塩水中のＯＶＡ ５０mg／アルヒドロゲル（Ａlhydrogel）（オーストラリア、パークヴィルのシーエスエル・リミテッド（ＣＳＬ Ｌtd））１mgを腹腔内注射することによって感作した。２４日目に、該マウスを０.９％生理食塩水中のＯＶＡ（１０mg／ml）のエアロゾルに３０分間３回（１時間毎）暴露し、次いで、２６日目および２８日目に同様の抗原投与に暴露した。エアロゾルは、密閉したチャンバー８００cm３中に、平均粒径３９μmを生成するネブライザーによって６リッル／分で生じさせた。２９日目に、マウスを頸部脱臼によって殺した。気管にカニューレ挿入し、気道管腔を、３７℃のＢＳＡ（０.１％wt／vol）を含有する０.９％生理食塩水１mlで４回洗浄した。注入した流体約０.８mlを洗浄毎に回収した。１匹の動物から得られた気管支肺胞洗浄液（ＢＡＬＦ）をプールし、標準的な血球計算板を用いて細胞数を決定した。ＢＡＬＦ細胞を細胞遠心分離にかけ、メイ−ギュルンワルド−ギムザ（Ｍay−Ｇrunwald−Ｇiemsa）溶液で別々に染色し、好酸球を形態学的基準を用いて同定した。データは、ＢＡＬＦのml当たりの好酸球の数として算出した。硫酸化オリゴ糖を動物に、腹腔内に挿入したアルツェット（Ａlzet）ミニ浸透圧ポンプ（miniosmotic pump）によるかまたはエアロゾルとして肺を介して全身に投与した。２３日目にＯＶＡ抗原投与の２４時間前にミニ浸透圧ポンプを挿入し、２９日目に動物を殺すまで、薬物を断続的に送達した。エアロゾルデリバリーの場合、２３日目、２５日目および２７日目に、マウスを、０.９％生理食塩水中硫酸化オリゴ糖のエアロゾルに３０分間３回（１時間毎）暴露した。
【００７７】
実験的自己免疫脳脊髄炎（ＥＡＥ）モデル
従前に開示された（43）と同様に、ＥＡＥの養子移入のために脾臓細胞を調製した。すなわち、ルイス（Ｌewis）ラットをミエリン塩基性タンパク質に感作させ、免疫脾臓細胞をイン・ビトロでＣonＡにより活性化し、３０×１０６個のＣonＡ活性化ＥＡＥエフェクター細胞を各レシピエントに静脈内移入させる。硫酸化オリゴ糖を収容しているミニ浸透圧ポンプ（アルツェット）を細胞移入時に皮下移植し、１４日間７０mg／kg／日の投与量で送達させた。臨床ＥＡＥは、以下のスキームに従って等級付けた：０、無症候性；１、尾の末梢部半分の弛緩；２、尾全体の弛緩；３、運動失調、直立の困難さ；４、後ろ足の虚弱；および５、後ろ足の麻痺。
【００７８】
炎症性大腸疾患モデル
スウェーデン、ウプサラのティディビー・コンサルタンシー（ＴｄＢ Ｃonsultancy）によって供給された５％（ｗ／ｖ）デキストラン硫酸ナトリウム（ＤＳＳ）で飲料水を補足することによって、マウスにおいて炎症性大腸疾患を誘発した。該溶液をpＨ８.０に調節し、０.４５μ中膜を介して濾過した。ＤＳＳ溶液を毎日回収し、再濾過し、新しいＤＳＳ保存液で容量を調節した。６−７週齢の雄性ＢＡＬＢ／ｃマウスを体重によってふるい分けし、２０−２３gのマウスをマウス５匹／カゴでカゴの中にグループ分けした。
【００７９】
０日目から１０日目まで８時間おきにマウスに硫酸化マンノペンタオースリン酸（２０mg／kg／日）またはビヒクル（無菌水）を注射した。注射容量は、１００μlに標準化し、首筋に皮下注射した。
【００８０】
全てのマウスについてＤＳＳ消費率、体重および症状を毎日評価した。下痢および直腸出血症状は、軽いまたはひどいと評価し、各々、１および４の数値を与えた。粘液の存在も記され、軽い下痢スコアとして含まれる。次いで、下痢および直腸出血スコアをその日のそのグループにおける生存動物数で割る。総スコアは、下痢および直腸出血の両方のスコアの合計である。
【００８１】
Ｂ．結果
硫酸化天然オリゴ糖の抗脈管形成活性および抗転移活性
一連の硫酸化天然オリゴ糖を合成するやいなや、それらを一連の生物学的アッセイにおいて試験した。表１には、１２個の天然オリゴ糖の硫酸化形について得られた結果をまとめる。スラミン（適度な抗脈管形成活性およびヘパラナーゼ阻害活性を有する化合物）（42）およびヘパリンの生物学的活性もまた、比較のために表１に含ませた。
【００８２】
まず、全ての試験された硫酸化オリゴ糖は、ごくわずかな抗凝固活性、すなわち、ヘパリンの活性の＜２％しか有しなかった（表１）。強力な抗転移化合物であるヘパリンはその強い抗凝固活性のためにこの適応症について制限された臨床的利用性を有するので、これは重要な特性である。
【００８３】
硫酸化天然オリゴ糖のうちの３つは、ヒト脈管形成の非常に強力な阻害剤であった；すなわち、硫酸化マンノペンタオースリン酸（ピキア・ホルスティ由来）、マルトテトラオース硫酸およびマルトヘキサオース硫酸。マンノペンタオースリン酸およびマルトヘキサオースは、２μg／mlの５０％阻害濃度を有するこれらの化合物のうち最も強力であり、一方、マルトテトラオースは、２０μg／mlで５０％阻害を与えた。２０μg／mlのマルトヘキサオース硫酸によって誘発された明白な脈管形成阻害の例を図１に示す。ヘパリンがあまり抗脈管形成活性を有しないことに注目するのは、関心のあることである。かくして、同様に、比較的短い鎖長の硫酸化オリゴ糖がこのタイプの活性のために必要とされることは、明らかなことである。マルトースシリーズによる脈管形成阻害のより完全な力価測定を図２に示し、図３において硫酸化マンノペンタオースリン酸によるものを示す。マルトースシリーズについて、マルトース硫酸化はあまり阻害活性を有しなかったが、マルトテトラオースおよびマルトヘキサオース硫酸は非常に強力な阻害剤であったことを示すことができる（図２）。
【００８４】
表１に示される脈管形成実験の全ては、脈管形成アッセイの開始時の培養培地へのオリゴ糖の添加を含んだ。しかしながら、予備研究（データは、示さない）は、マルトヘキサオース硫酸の添加は、脈管形成応答の開始後、さらに血管成長を阻害することもできるが、該化合物が培養開始時に添加される場合に最も有効な阻害が生じることを示す。
【００８５】
硫酸化オリゴ糖は、それらのヘパラナーゼ阻害活性において著しく異なり、最も強力な阻害剤は、硫酸化マンノペンタオースリン酸およびマルトヘキサオース硫酸であり、これら２つの化合物の活性は、ヘパリンのものに似ている（表１）。おもしろいことには、これら２つの化合物は、有効な抗脈管形成化合物でもある。しかしながら、脈管形成阻害は、多くの化合物のヘパラナーゼ阻害活性と相互に関係しなかった。例えば、硫酸化シクロアミロースは、非常に強力なヘパラナーゼ阻害剤であったが、不充分な脈管形成阻害剤であった。マルトースシリーズはまた、鎖長およびヘパラナーゼ阻害に関して非常に情報価値があった。表３は、二糖（マルトース）から七糖（マルトヘプタオース）までの範囲の完全なマルトースシリーズについてのヘパラナーゼ阻害活性を表す。マルトースは、非阻害性であり、マルトトリオースは、弱い阻害性であり、マルトテトラオースは、適度な阻害活性を示したが、五糖、六糖および七糖は、高い阻害活性を示した。かくして、硫酸化五糖またはそれ以上の糖は、至適なヘパラナーゼ阻害のために必要とされる。
【００８６】
硫酸化糖の多くは、抗転移活性についてイン・ビボでも試験された（表１）。一般に、ヘパラナーゼ阻害および抗転移活性の間に適度に良好な相互関係がある。かくして、最も高いヘパラナーゼ阻害活性を有する２つの化合物である硫酸化マンノペンタオースリン酸およびマルトヘキサオース硫酸は、最も大きな抗転移活性を示し、実際、それらは、転移を予防する能力においてヘパリンと有意には異ならない（表１）。２つの別の化合物であるシクロオクタ−アミロース硫酸およびスタキオース硫酸もまた、適度に有効な抗転移剤であり、特性は、それらの適度なヘパラナーゼ阻害活性と一致する。ひとまとめにして、これらのデータは、硫酸化マンノペンタオースリン酸およびマルトヘキサオース硫酸が同時に相当な抗脈管形成活性、抗転移活性およびヘパラナーゼ阻害活性を有することを示唆する。
【００８７】
硫酸化オリゴ糖のマルトースシリーズの抗転移活性は、図４に非常に詳細に示される。鎖長が増加するにしたがってオリゴ糖の抗転移活性は確実に増加し、五糖、六糖および七糖が最も活性であった。２mg／ラットの投与量で静脈内投与した場合、マルトース硫酸は、転移に対して全く効果がなかったが（図４Ａ）、４mg／ラットで皮下投与した場合、有意な転移阻害が観察された（図４Ｂ）。次の実験では、注射の経路（すなわち、静脈内、皮下または腹腔内）に関係なく、硫酸化オリゴ糖が同程度の抗転移活性を示したことが明らかになった（データは、示さない）。実際、マルトース硫酸の抗転移活性は、高投与量を動物に投与した場合にのみ観察された。マルトース硫酸は、非常に弱いヘパラナーゼ阻害剤であるので、この結果は、特に、オリゴ糖の高投与量を用いる場合、ヘパラナーゼ阻害が、硫酸化オリゴ糖が腫瘍転移を阻害する唯一の方法ではないことを示唆する。
【００８８】
シクロアミロースは、それらが非線形オリゴ糖を表すので、硫酸化され、該研究に含まれる。これらの化合物が適度に活性なだけであったことに注目するのは、関心のあることであり（表１）、線形オリゴ糖が至適な活性のために必要とされることを意味する。さらにまた、最も活性な硫酸化オリゴ糖は、抗脈管形成化合物として現在臨床試験を受けている薬物であるスラミン（42）よりも非常に有効な、脈管形成、転移およびヘパラナーゼ活性の阻害剤であった（表１）。
【００８９】
該化合物の抗脈管形成活性は、それらのヘパラナーゼ阻害活性と常に直接相互関係するわけではないので、硫酸化オリゴ糖は、いくつかの他のメカニズムにより脈管形成を阻害することができると思われた。前記のとおり、いくつかの硫酸化オリゴ糖は、成長因子−ヘパラン硫酸相互作用を中断させることによって脈管形成成長因子の作用を乱すことができると思われる。従前の分析（国際特許出願番号PCT/AU95/00105を参照）は、この実施例において用いたヒト脈管形成アッセイが内因性ｂＦＧＦに非常に依存しており、ａＦＧＦおよびＶＥＧＦ作用に対しては低かったことを示した。かくして、種々の硫酸化オリゴ糖は、ｂＦＧＦ、ａＦＧＦおよびＶＥＧＦのヘパリンまたはヘパラン硫酸との相互作用の競争相手として作用する能力について試験した。
【００９０】
鎖長の増加にしたがって、硫酸化オリゴ糖のマルトースシリーズがｂＦＧＦおよびａＦＧＦの細胞表面ヘパラン硫酸との相互作用のより有効な阻害剤となったこと（表２）、すなわち、マルトースは弱い阻害性であったが、五糖、六糖および七糖は最も活性であったことが見いだされた。硫酸化マンノペンタオースリン酸は、この系において相当な阻害活性をも示した（表２）。硫酸化オリゴ糖のマルトースシリーズによるａＦＧＦ−ヘパラン硫酸相互作用の阻害についての完全な阻害曲線は、図５に示される。さらなる研究は、マルトヘキサオース硫酸が放射性標識ヘパリンのｂＦＧＦおよびａＦＧＦへの結合の強力な阻害剤でもあったことを示した（データは、示さない）。
【００９１】
マルトヘキサオース硫酸が最も活性な抗脈管形成および抗転移化合物の１つであったので、その生物学的活性に対する硫酸化の程度の影響を幾分詳細に試験した。まず、最も高度に硫酸化されたマルトヘキサオースについて多少の抗凝固活性が検出された場合でさえ、この活性は、ヘパリンと比較した場合に非常に低かったことに注目した（表２）。しかしながら、硫酸化の増大にしたがって、マルトヘキサオースのヘパラナーゼ活性およびヘパラン硫酸へのＦＧＦ結合を阻害する能力の安定な増加があった（表２）。しかしながら、阻害活性は、硫酸化が８５％以上であった場合に両方の系おいて安定状態に達した。
【００９２】
転移阻害研究（図６）は、硫酸化の程度の増加にしたがって、マルトヘキサオース硫酸がより有効な抗転移薬となったことも示した。対照的に、非常に高度に硫酸化されたマルトヘキサオース（硫酸化９０−１００％）が脈管形成のあまり有効ではない阻害剤であったことが示唆された（図７）。これらのデータは、脈管形成および転移を阻害するために必要とされる至適な硫酸化オリゴ糖構造に微妙な差異があることを示唆する。それにもかかわらず、強力な抗転移活性および抗脈管形成活性を同時に示す、天然オリゴ糖から誘導された多くの硫酸化オリゴ糖が同定された。これらの化合物は、ピキア・ホルスティ由来の硫酸化マンノペンタオースリン酸、ならびにマルトペンタオース硫酸、マルトヘキサオース硫酸およびマルトヘプタオース硫酸である。
【００９３】
硫酸化合成オリゴ糖の抗脈管形成活性および抗転移活性
実施例１〜５に記載した硫酸化合成オリゴ糖もまた、それらの生物学的活性について試験した。表３には、マンノース、ガラクトースまたはグルコースを含有する硫酸化合成オリゴ糖の、凝固、ヘパラナーゼ作用および成長因子−ヘパラン硫酸結合を阻害する能力をまとめる。試験された合成硫酸化オリゴ糖の全ては、ごくわずかな抗凝固活性を示した。しかしながら、マンノースおよびグルコースの三糖を除いては、全ての他の硫酸化オリゴ糖は、ヘパラナーゼ活性および成長因子−ヘパラン硫酸結合の適度に有効な阻害剤であった。実際に、全体的な結論は、ヘキソース単位（すなわち、Ｄ−マンノース、Ｄ−ガラクトースまたはＤ−グルコース）を４〜６個含有する硫酸化合成オリゴ糖がこれらのアッセイにおいて非常に活性であるということである。例外は、ガラクトースシリーズの他のメンバーと実質的に同程度に活性であったガラクトトリオース硫酸である。
【００９４】
ヒト脈管形成アッセイにおいて試験した場合、硫酸化マンノースオリゴ糖は、阻害性があったが、五糖および六糖は、四糖よりも活性であり（図８）、それらの効力において硫酸化マンノペンタオースリン酸と似ている。同様に、硫酸化マンノース四糖、五糖および六糖は、抗転移薬として硫酸化マンノペンタオースリン酸と同程度に有効であった（図９）。ガラクトース含有硫酸化オリゴ糖およびグルコヘキサオース硫酸もまた転移を阻害したが（図１０）、それらは、マンノース含有化合物よりもわずかに低い活性の傾向があった。
【００９５】
硫酸化オリゴ糖の抗炎症活性
前記したとおり、白血球の炎症部位への侵入に対する重要な障壁は、内皮下の基底膜である。この膜を通過させるために、白血球は、分解酵素のバッテリーを用いなければならない（11）。基底膜関連ヘパラン硫酸鎖を切断し、白血球血管外遊出のために必須であるエンドグリコシダーゼ、ヘパラナーゼは、特に関係のあるものである（12, 13）。実際に、転移阻害研究（35）についてと同様に、ヘパラナーゼ活性を阻害する硫酸化多糖は、炎症の強力な阻害剤である（43, 44）。これらの観察に基づいて、強力な抗脈管形成剤および抗転移剤であった硫酸化オリゴ糖が非常に有効な抗炎症化合物であることは、当業者に予想されるであろう。マルトヘキサオース硫酸およびマンノペンタオース硫酸は、これに関して特に重要なものである。さらにまた、脈管形成は、慢性関節リウマチなどの慢性炎症性疾患に関連しているので（18）、これらの化合物の抗脈管形成活性は、炎症の治療においてさらに価値あるものである。
【００９６】
この予想に味方する証拠は、いくつかの動物炎症モデルにおいて得られた。第１に、マルトヘキサオース硫酸、マンノペンタオース硫酸および硫酸化マンノペンタオースリン酸は、チオグリコラート誘発空気嚢炎症を有意に阻害することができた（表４）。実際に、一の実験では、マンノペンタオース硫酸の単回注射は、自然においては優先的に好中球であった白血球浸潤の阻害時にプレドニゾロンと同程度に有効であったが、マルトヘキサオース硫酸は、幾分低い有効性であった。硫酸化オリゴ糖を６時間おいて２回等しい投与量で注射した場合に、炎症応答のさらに大きな阻害が観察された。
【００９７】
第２に、硫酸化オリゴ糖は、慢性喘息のマウスモデルを阻害する能力について試験した。このモデルは、エアロアレルゲン抗原投与によって誘発されたマウスの肺への好酸球の大量の流入によって特徴付けられる（41）。かかる炎症応答は、ヒトにおける慢性喘息の特徴である。ミニ浸透圧ポンプを介して投与されると、マルトヘキサオース硫酸およびマンノペンタオース硫酸は、マウスの肺における好酸球蓄積を有意に阻害した（表５）。マルトヘキサオース硫酸は、また、エアロゾルとして投与されると（４０mg／ml溶液）、多少の抗炎症活性を示した。
【００９８】
第３に、マンノペンタオース硫酸および硫酸化マンノペンタオースリン酸は、共に、該疾患のラットモデルにおいてＥＡＥを有意に阻害した（表６）。実際に、硫酸化オリゴ糖で処置された数匹の動物は、病徴を発症させなかった。これらのデータは、ヘパラナーゼ活性を阻害する硫酸化多糖がＥＡＥの重篤度を軽減させることができるということを示す初期の研究と一致する（43）。
【００９９】
最後に、マンノペンタオースリン酸は、マウスにおける炎症性大腸疾患を阻害する能力について試験した。飲料水中のデキストラン硫酸によって誘発されるこのモデルは、潰瘍性大腸炎およびそれほどではないにせよクローン病に似ている大腸炎を誘発する。２０mg／kg／日の硫酸化マンノペンタオースリン酸により、急性大腸炎の顕著な減衰を生じ、該疾患によって生じた体重減少も予防した（表７）。この実験における対照は、硫酸化オリゴ糖注射を受けるが、それらの飲料水中にデキストラン硫酸を含まない。
【０１００】
【表１】
2009235085.tif 000002
【０１０１】
【表２】
2009235085.tif 000003
【０１０２】
【表３】
2009235085.tif 000004
【０１０３】
【表４】
2009235085.tif 000005
【０１０４】
【表５】
2009235085.tif 000006
【０１０５】
【表６】
2009235085.tif 000007
【０１０６】
【表７】
2009235085.tif 000008
【０１０７】
引用文献
１．Dietrich, C. P., Nader, H. B. および Strauss, A.J. (1983). Biochem. Biophys. Res. Comm. 111 865-871。
２．Kjellen, L および Lindahl, U. (1991). Annu. Rev. Biochem. 60, 443-475。
３．David, G. (1993). FASEB J. 7, 1023-1030。
４．Esko, J. D. (1991). Curr. Opin. Cell Biol. 3, 805-816。
５．Cole, G. J. および Akeson, R. (1989). Neuron 2, 1157-1165。
６．Coombe, D. R., Watt, S. M. および Parish C. R. Blood 84, 739-752。
７．Yayon, A., Klagsbrun, M., Esko, J. D., Leder, P. および Ornitz, D. M. (1991). Cell 64, 841-848。
８．Rapraeger, A. C., Krufka,A. および Olwin, B. B. (1991). Science 252, 1705-1708。
９．Gitay-Goren, H., Soker, S., Vlodabsky, I. および Neufeld, G. (1992). J. Biol. Chem. 267, 6093-6098。
１０．Yurchenco, P. D. および Schittny, J. C. (1990). FASEB J. 4, 1577-1590。
１１．Stetler, S. W., Aznavoorian, S および Liotta, L. A. (1993). Annu. Rev. Cell Biol. 9, 541-573。
１２．Eldor, A., Bar-Ner, N., Fuks, Z. および Vlodavsky, I. (1987). Semin. Thromb. Hemost. 13, 475-488。
１３．Nakajima, M., Irimura, T. および Nicolson, G. L. (1988). J. Cell Biochem. 36, 157-167。
１４．Turnbull, J. E., Fernig, D. G., Ke, Y., Wilkinson, M. C. および Gallagher, J. T. (1992). J. Biol. Chem. 267, 10337-10341。
１５．Mach, H., Volkin, D., Burke, C. J., Middaugh, C. R., Linhardt, R. J., Fromm. J. R. および Loganathan, D. (1993). Biochemistry 32, 5480-5489。
１６．Nurcombe, V., Ford, M. D., Windschut, J. A. および Bartlett, P. F. (1993). Science 260, 103-106。
１７．Spivak-Kroizman, T., Lemmon, M. A., Dikic, I., Ladbury, J. E., Pinchasi, D., Huang, J., Jaye, M., Crumley, G., Schlessinger, J. および Lax, I. Cell 79, 1015-1024。
１８．Folkman, J. および Brem, H. (1992). Angiogenesis and inflammation. In: "Inflammation. Basic Principles and Clinical Correlates". Eds Gallin, J. I., Goldstein, I. M. および Synderman, R. S., Raven Press, New York。
１９．Folkman, J. (1991). Tumour angiogenesis. In "Cancer Medicine". Ed Holland, J. F., Lea & Febiger, Philadelphia。
２０．Folkman, J. および Klagsbrun, M. (1987). Science 235, 442-447。
２１．Ratner, S. (1992). Invasion Metastasis 12, 82-100。
２２．Mora, P. T. および Wood, D., J. Amer. Chem. Soc. 80, 693。
２３．O'Colla, P. S. および Lee E. E., (1964). J. Chem. Soc. 2351-2354。
２４．Evans, W. L., Reynolds, D. D. および Talley, E. A., (1951). Adv. Carbohyd. Chem. 6, 27。
２５．Goldstein, I. J. および Hullar, T. L., (1966). Adv. Carbohyd. Chem. 21, 431-512。
２６．Haq. S. および Whelan, W. J., (1956). J. Chem. Soc. 4543。
２７．Okada, M., Sumitomo, H., Sumi, K および Sugimoto, T., (1984). J. Amer. Chem. Soc. 17, 2451-2453。
２８．Okada, M., Sumitomo, H., Hirasawa, T., Ihara, K. および Tada, Y., (1986). Polym. J., (Tokyo), 18, 601-611。
２９．O'Colla, P. S. および McGrath, D., (1962). Chem. Ind., 178-179。
３０．McGrath, D., Lee, E. E. および O'Colla, P. S., (1969). Carbohydrate Res., 11, 453-460。
３１．Reynolds, D. D., および Evans, W. L., J. Amer. Chem. Soc. (1947), 69, 66。
３２．Glaser, J. H. および Conrad, H. E. (1979). J. Biol. Chem. 254, 6588-6597。
３３．Anderson, R. F., Cadmus, M. C., Benedict, R. G. および Slodki, M. E. (1960). Arch. Biochem. Biophys. 89, 289-292。
３４．Bretthauer, R. K., Kaczorowski, G. J. および Weise, M. J. (1973). Biochemistry 12, 1251-1256。
３５．Parish, C. R., Coombe, D. R., Jakobsen, K. B., Bennett, F. A. および Underwood, P. A. (1987). Int. J. Cancer 40, 511-518。
３６．Guo, Y. および Conrad, H. E. (1989). Anal. Biochem. 176, 96-104。
３７．Rylatt, D. B., Sia, D. Y., Mundy, J. R. および Parish, C. R. (1981). Eur. J. Biochem. 119, 641-646。
３８．Brown, K. J., Hendry, I. A. および Parish, C. R. (1995). Exp. Cell Res. 217, 132-139。
３９．Brown, K. J. および Parish, C. R. (1994). Biochemistry 33, 13918-13927。
４０．Forrest, M. J., Brooks, P. M., Takagi, T. および Kowanko, I. (1988). In: "CEC Handbook of Animal Models for the Rheumatic Diseases". Eds. Greenwald, R. A. および Diamond, K. S., CRC Press, Boca Raton, Vol. 1, p. 125。
４１．Foster, P. S., Hogan, S. P., Ramsay, A. J., Matthaei, K. I. および Young,. (1996). J. Exp. Med. 183, 195-201。
４２．Lelievre, S および Larsen, A. K. (1994). Cancer Res. 54, 3993-3997。
４３．Willenborg, D. O. および Parish, C. R. (1988). J. Immunol. 140, 3401-3405。
４４．Bartlett, M. R., Cowden, W. B. および Parish, C. R. (1995). J. Leuk, Biol. 57, 207-213。
【図１】
2009235085.tif 000009
【図２】
2009235085.tif 000010
【図３】
2009235085.tif 000011
【図４】
2009235085.tif 000012
【図５】
2009235085.tif 000013
【図６】
2009235085.tif 000014
【図７】
2009235085.tif 000015
【図８】
2009235085.tif 000016
【図９】
2009235085.tif 000017
【図１０】
2009235085.tif 000018